(57)【要約】      （修正有）【課題】粉末のつまりを容易に解消することができる粉末容器を提供する。【解決手段】粉末容器Ｃは、先端に開口部１ａを有すると共に、内部に飲料又は食材の粉末を収納する収納部１ｂを備えた容器本体１と、この容器本体１の開口部１ａを覆い、先端に粉末４の出口である出口開口部を有したカバー体２とを備え、このカバー体２は、弾性変形できる部材で形成されている。封止部３ａを前記カバー体２の出口開口部へ案内する案内部材を蓋体３の裏面に設けた。【選択図】図２
2011201598.tif 000002
【特許請求の範囲】
【請求項１】
先端に開口部を有すると共に、内部に飲料又は食材の粉末を収納する収納部を備えた
容器本体と、
この容器本体の前記開口部を覆い、先端に前記粉末の出口である出口開口部を有した
カバー体とを備え、
このカバー体は、弾性変形できる部材で形成されている
ことを特徴とする粉末容器。
【請求項２】
先端に開口部を有すると共に、内部に飲料又は食材の粉末を収納する収納部を備えた
容器本体と、
この容器本体の前記開口部を覆い、先端に前記粉末の出口である出口開口部を有した
カバー体と、
このカバー体を覆う蓋体と、
この蓋体の裏面であって、前記カバー体の出口開口部を封止する封止部とを備え、
このカバー体は、弾性変形できる部材で形成され、
前記封止部を前記カバー体の出口開口部へ案内する案内部材を前記蓋体の裏面に設けた
ことを特徴とする粉末容器。
【請求項３】
カバー体は、透明又は半透明の部材によって構成されている
ことを特徴とする請求項１又は請求項２記載の粉末容器。
【発明の詳細な説明】
【技術分野】
【０００１】
本発明は、粉末容器に係り、特に、粉末のつまりを容易に解消することができる粉末
容器に関する。
【背景技術】
【０００２】
従来、例えば、調味料を携帯できる携帯用調味料入れ（例えば、特許文献１参照）が
ある。
【先行技術文献】
【特許文献】
【０００３】
【特許文献１】実開昭６１−１２３０７１号公報
【発明の概要】
【発明が解決しようとする課題】
【０００４】
これは、注入口を備え、調味料を収容する容器と、前記注入口を覆い前記調味料を密
封する蓋材とからなり、前記容器及び前記蓋材にそれぞれ調味料振出口を設け、前記蓋材
を回動させて、互いの調味料振出口の一致又は不一致により、行うようにしている。
例えば、前記容器の側の調味料振出口、又は、前記蓋材の側の調味料振出口が前記調
味料により、つまりが生じた場合、例えば、爪楊枝等を使って、前記つまりを解消しなけ
ればならず、使用勝手が良くないという問題点があった。
【０００５】
本発明は、上記の問題点を除去するようにした粉末容器を提供することを目的とする
。
【課題を解決するための手段】
【０００６】
請求項１記載の粉末容器は、先端に開口部を有すると共に、内部に飲料又は食材の粉
末を収納する収納部を備えた容器本体と、この容器本体の前記開口部を覆い、先端に前記
粉末の出口である出口開口部を有したカバー体とを備え、このカバー体は、弾性変形できる部材で形成されているものである。
【０００７】
また、請求項２記載の粉末容器は、先端に開口部を有すると共に、内部に飲料又は食材の粉末を収納する収納部を備えた容器本体と、この容器本体の前記開口部を覆い、先端に前記粉末の出口である出口開口部を有したカバー体と、このカバー体を覆う蓋体と、この蓋体の裏面であって、前記カバー体の出口開口部を封止する封止部とを備え、このカバー体は、弾性変形できる部材で形成され、前記封止部を前記カバー体の出口開口部へ案内する案内部材を前記蓋体の裏面に設けたものである。
【０００８】
また、請求項３記載の粉末容器は、請求項１又は請求項２記載の粉末容器において、カバー体は、透明又は半透明の部材によって構成されているものである。
【発明の効果】
【０００９】
請求項１記載の粉末容器によれば、使用中、カバー体の出口開口部付近が粉末により
詰まった場合、手の指でカバー体を押すことにより、粉末によるつまりを容易に解消する
ことができる。
【００１０】
また、請求項２記載の粉末容器によれば、使用中、カバー体の出口開口部付近が粉末により詰まった場合、手の指でカバー体を押すことにより、粉末によるつまりを容易に解消することができ、しかも、蓋体でカバー体を覆う際、案内部材によりカバー体の出口開口部内に封止部が導かれるように案内されるため、突起状の封止部がカバー体の出口開口部の先端周縁部に接触し、該先端周縁部が損傷するのを防ぐことができる。
【００１１】
また、請求項３記載の粉末容器によれば、上述した請求項１又は請求項２記載の発明の効果に加え、カバー体が、透明又は半透明の部材によって構成されているため、透明又は半透明の部材によって構成されたカバー体を介して粉末容器内の「粉末の残量、粉末によるつまりの有無」等を確認することができる。
【図面の簡単な説明】
【００１２】
【図１】図１は、本発明の一実施例の粉末容器を携帯で使用する場合の概略的図である。
【図２】図２は、図１の粉末容器の概略的断面図である。
【図３】図３は、図２の一部を拡大して示す概略的一部拡大断面図である。
【図４】図４は、図３の状態の係合を解除した状態の概略的一部拡大断面図である。
【図５】図５は、図１の粉末容器の使用状態の概略的斜視図である。
【図６】図６は、図５の一部を拡大して示す概略的一部拡大斜視図である。
【図７】図７は、図６の粉末容器の使用状態の概略的斜視図である。
【図８】図８は、図１の粉末容器と異なる他の実施例の概略的断面図である。
【図９】図９は、図８の粉末容器と異なる他の実施例の概略的図である。
【図１０】図１０は、図９の概略的断面図である。
【図１１】図１１（ａ）は、図１０の一部を拡大して示す概略的一部拡大断面図であり、図１１（ｂ）は、図１１（ａ）の１１−１１線による概略的断面図である。
【図１２】図１２は、図９の容器本体とカバー体との関係を示す概略的図である。
【発明を実施するための形態】
【００１３】
本発明の一実施例の粉末容器を図面を参照して説明する。
図１に示すＣは粉末容器で、粉末容器Ｃは、図２及び図５に示すように、容器本体１
、カバー体２、蓋体３を備えている。
容器本体１は、図２に示すように、先端に開口部１ａを有すると共に、内部に茶、コ
ーヒー等の飲料、食材、調味料等の粉末４（粉末４は、本実施例では、茶の粉末である。
）を収納する収納部１ｂを備えている。
【００１４】
カバー体２は、図２〜図４に示すように、容器本体１の開口部１ａを覆い、先端に粉
末４の出口である出口開口部２ａを有し、出口開口部２ａに向かって先細りとなっている。カバー体２は、弾性変形できる部材、例えば、プラスティックで形成され、その弾性の程度は、手の指でカバー体２を押し、その押しを解除すれば、元に戻る程度である。
また、カバー体２が、弾性変形できる部材で形成されているのは、使用中、カバー体
２の出口開口部２ａ付近が、粉末４により詰まった場合、例えば、図６及び図７に示すように、手の指でカバー体２を押すことにより、粉末４のつまりを容易に解消することができるためである。
また、カバー体２は、望ましくは、透明又は半透明の部材によって構成されているの
が良い。これは、透明又は半透明の部材によって構成されたカバー体２を介して粉末容器
Ｃ内の「粉末４の残量、粉末４によるつまりの有無」等を確認することができるからであ
る。
また、カバー体２の先端に設けられた出口開口部２ａは、例えば、漏斗状となってい
る。
なお、容器本体１とカバー体２を着脱自在に構成しているのは、容器本体１に入れる粉末を新たな粉末に切り換える際、容器本体１及びカバー体２を水等で洗浄し、洗浄後、乾燥した後、使用することができ、また、容器本体１のみを共通とし、カバー体２を新たなものを使用するようにしても良い。
【００１５】
蓋体３は、カバー体２を覆って、カバー体２の側面に当接して係止するもので、蓋体
３には、カバー体２の先端の出口開口部２ａの周縁部に当接して、出口開口部２ａを封止
（開口を閉鎖すること）する封止部３ａが設けられている。
また、３ｂは、ポケット５に係止させるためのクリップで、クリップ３ｂは蓋体３の
外側に設けられている。なお、場合により、クリップ３ｂは省略しても良い。
【００１６】
従って、上述した図１乃至図７記載の粉末容器Ｃによれば、使用中、カバー体２の出
口開口部２ａ付近が粉末４により詰まった場合、手の指でカバー体２を押すことにより、
粉末４によるつまりを容易に解消することができる。
また、カバー体２が、透明又は半透明の部材によって構成されているため、透明又は
半透明の部材によって構成されたカバー体２を介して粉末容器１内の「粉末４の残量、粉
末４によるつまりの有無」等を確認することができる。
【００１７】
また、図８に示すように、例えば、粉末容器１を安価に製作し、外周覆い体Ｒ及び蓋
体３を高級感を持った部材、高級感を有したデザイン等で形成するようにしても良い。  
かかる場合の外周覆い体Ｒは、粉末容器１を収納して、つまり、粉末容器１の外周を略
全体に亘って覆うようにする。
【００１８】
次に示す図９乃至図１２記載の粉末容器１は、封止部３ａをカバー体２の出口開口部２ａへ案内する案内部材３ｃを蓋体３の裏面に設けたものである。
これは、蓋体３でカバー体２を覆う際、突起状の封止部３ａがカバー体２の出口開口部２ａの先端周縁部に接触し、該先端周縁部が損傷するのを防ぐために、案内部材３ｃによりカバー体２の出口開口部２ａ内に封止部３ａが導かれるように案内するためである。
なお、カバー体２は、上述した実施例と同様、弾性変形できる部材、例えば、プラスティックで形成され、その弾性の程度は、手の指でカバー体２を押し、その押しを解除すれば、元に戻る程度である。
また、案内部材３ｃは、図１１（ａ）及び図１１（ｂ）に示すように、蓋体３の裏面側壁に複数（本実施例では、例えば、６個）設けられている。なお、突起状の封止部３ａは、蓋体３の裏面天井壁に設けられている。
また、容器本体１とカバー体２とは、図１２に示すように、熱膨張等によりカバー体２が容器本体１から抜けにくいように、ネジ部１ｃ、２ｃがそれぞれ設けられ、ネジ部１ｃ、２ｃがかみ合って一体化されるようになっている（図９参照）。
なお、図９乃至図１２記載の粉末容器１の実施例にあっては、、図９乃至図１２に、上述した実施例と同一部分に同一符号を付して、その説明を省略する。
【符号の説明】
【００１９】
Ｃ      粉末容器
１      容器本体
１ａ    開口部
１ｂ    収納部
２      カバー体
３      蓋体
４      粉末
【図１】
2011201598.tif 000003
【図２】
2011201598.tif 000004
【図３】
2011201598.tif 000005
【図４】
2011201598.tif 000006
【図５】
2011201598.tif 000007
【図６】
2011201598.tif 000008
【図７】
2011201598.tif 000009
【図８】
2011201598.tif 000010
【図９】
2011201598.tif 000011
【図１０】
2011201598.tif 000012
【図１１】
2011201598.tif 000013
【図１２】
2011201598.tif 000014